(57)【要約】      （修正有）【課題】新規の遠心ガバナーを提供する。【解決手段】新規の遠心ガバナーは、ガバナー・フレーム１と、ガバナー・シート２と、ガバナー・シャフト３と、ニードル・ピン４と、スチール・ボール５と、スプリング６と、ワッシャー７を含む。ガバナー・フレームは、ガバナー・シートを設け、ガバナー・シャフトは、ガバナー・シートに設けられて、ガバナー・シャフトの前端は、ニードル・ピンを設け、スチール・ボールは、ガバナー・シートに設けられて、しかもスチール・ボールは、ガバナー・シャフトの外側に設けられており、スプリングの末端は、ワッシャーを設け、スプリングとワッシャーは、ガバナー・シャフトの外側に設けられる。上記の技術方案を採用した後、本考案の有益な効果は、ガバナーカウンタウェイトのサイズを縮小し、ガバナーの長さを短縮し、ガバナーの重量を減らし、部品のコストを削減し、作業効率を向上させることがある。【選択図】図１
0003219032.tif 000002
【実用新案登録請求の範囲】
【請求項１】
新規の遠心ガバナーは、ガバナー・フレーム１と、ガバナー・シート２と、ガバナー・シャフト３と、ニードル・ピン４と、スチール・ボール５と、スプリング６と、ワッシャー７を含んでおり；
ガバナー・フレーム１は、ガバナー・シート２を設けて、ガバナー・シャフト３は、ガバナー・シート２に設けられており、
ガバナー・シャフト３の前端は、ニードル・ピン４を設けており、
スチール・ボール５は、ガバナー・シート２に設けられて、しかもスチール・ボール５は、ガバナー・シャフト３の外側に設けられており、
スプリング６の末端は、ワッシャー７を設けて、スプリング６とワッシャー７は、ガバナー・シャフト３の外側に設けられることを特徴とする新規の遠心ガバナー。
【請求項２】
ガバナー・シート２は、スチール・ボールのスロット２１を設けることを特徴とする請求項１に記載の新規の遠心ガバナー。
【請求項３】
ガバナー・シート２は、スプリングのスロット２２を設けることを特徴とする請求項１に記載の新規の遠心ガバナー。
【請求項４】
ガバナー・シャフト３は、ニードル・ピンのスロット３１を設けることを特徴とする請求項１に記載の新規の遠心ガバナー。
【考案の詳細な説明】
【技術分野】
【０００１】
本考案は、空気動工具用の速度制御装置に係り、特に、新規の遠心ガバナーに関する。
【背景技術】
【０００２】
空気動工具の核部品は、エアモーターであり、圧縮空気は、エアモーターを通って、作業し、対応する部品を駆動して、研削、切断、締付け、穴あけなどの作業を行う。
粉砕、切断、締め付け、穿孔などのために対応する構成要素を駆動するための空気モーターによる作業である。理論的には、ツールアイドリング最大速度の半分に達すると出力電力は、最大となっており、この時、このツールの作業は、最も効率的で、特に空気圧サンダーにとって重要である。
【０００３】
従来の遠心ガバナーは、ガバナーウェイトとスプリング力を通って、自動的にエアモーターの速度を調整し、これにより、モーターは最大出力で一定速度を維持することができる。しかしながら、異なる出力と速度が異なるエアモーターにマッチするために、異なるウェイトと異なるスプリングの組み合わせを設計しなければならず、その結果、部品種類の増加と複雑化を起こさせる。
【考案の概要】
【考案が解決しようとする課題】
【０００４】
本考案の主な目的は、従来技術の欠点及び不足のために対して、新規な遠心ガバナーを提供することである。同時に、ガバナーウェイトの規格種類を縮小し、ガバナーの長さを短縮し、ガバナーの重量を軽減し、部品のコストを削減して、作業効率を改善する。
【０００５】
上記の目的を達成するために、本考案は、下記の技術方案を採用しており；それは、ガバナー・フレーム１と、ガバナー・シート２と、ガバナー・シャフト３と、ニードル・ピン４と、スチール・ボール５と、スプリング６と、ワッシャー７を含んでおり；ガバナー・フレーム１は、ガバナー・シート２を設けて、ガバナー・シャフト３は、ガバナー・シート２に設けられており、ガバナー・シャフト３の前端は、ニードル・ピン４を設けており、スチール・ボール５は、ガバナー・シート２に設けられて、しかもスチール・ボール５は、ガバナー・シャフト３の外側に設けられており、スプリング６の末端は、ワッシャー７を設けて、スプリング６とワッシャー７は、ガバナー・シャフト３の外側に設けられる。
【０００６】
前記ガバナー・シート２の前端は、スチール・ボールのスロット２１を設ける。スチール・ボールのスロット２１は、スチール・ボール５をベアラするために使用され、しかし、スチール・ボール５の位置が変わらないことを保証する。
【０００７】
前記ガバナー・シート２の尾端は、スプリングのスロット２２を設ける。スプリングのスロット２２は、スプリング６とワッシャー７をベアラするために使用され、スプリング６とワッシャー７の位置を固定して、ワッシャー７の調整位置の作用を達成できる。
【０００８】
ガバナー・シャフト３の頭部位置には、ニードル・ピンのスロット３１が設けられている。ニードル・ピンのスロット３１は、ニードル・ピン４を配置するためのものであり、ニードル・ピン４の位置を固定することができる。
【０００９】
本考案の作業原理は、伝統的な遠心ガバナーと比較して、スチール・ボール５は、伝統のウェイトを置き換え、これによって、異なる速度と異なる出力のエアモーターにマッチするために、スチール・ボールのサイズと数量を変更するだけである。一般的なエアモーターは、右方向に回転し、したがって、ガバナー・シャフトとモーターローターのねじは、左ねじとして設計されており、緩みを効果的に防止する。スチール・ボールのサイズと数量、及びスプリングの剛性を組み合わせることにより、異なるサイズのエアーモーターにマッチするために、さまざまなシリーズ規格のガバナーを設計し、現在のモーター速度が、４,５００ＲＰＭから３０,０００ ＲＰＭの範囲で、モーター出力が、１５ワットから２０００ワットの範囲のシリーズは、全部異なるガバナーにマッチングされる。同じな工具のモーター速度を合理的に調整することは、ワッシャーを通って行う。ワッシャーの数量と厚さが変更されている限り、モーター速度を調整する目的を達成するために、ガバナーのプリング力を調整できる。ガバナー・フレーム１とガバナー・シート２は、エンジニアリングプラスチック射出成形設計を採用しているため、部品の重量と部品コストを効果的に削減できる。
【００１０】
上述した技術考案を採用した後、本考案は、有益な効果があり、ガバナーウェイトの仕様タイプを減らし、ガバナーの長さを短くし、ガバナーの重量を減らし、部品のコストを削減し、作業効率を向上する。
【００１１】
本考案の実施形態または従来技術における技術方案をより明確に示すために、実施形態または従来技術の説明で使用される図面を以下に簡単に紹介する。明らかに、以下の説明における図面は、本考案の一部実施形態であって、同じ領域にある当業者にとって、創造的な労働がない前提で、これらの図から他の図面も得ることができる。
【図面の簡単な説明】
【００１２】
【図１】本考案の構造を示す図である。
【考案を実施するための形態】
【００１３】
図１に示すように、それは、ガバナー・フレーム１と、ガバナー・シート２と、ガバナー・シャフト３と、ニードル・ピン４と、スチール・ボール５と、スプリング６と、ワッシャー７を含んでおり；ガバナー・フレーム１は、ガバナー・シート２を設け、ガバナー・シャフト３は、ガバナー・シート２に設けられており、ガバナー・シャフト３の前端は、ニードル・ピン４を設けており、スチール・ボール５は、ガバナー・シート２に設けられて、しかもスチール・ボール５は、ガバナー・シャフト３の外側に設けられており、スプリング６の末端は、ワッシャー７を設け、スプリング６とワッシャー７は、ガバナー・シャフト３の外側に設けられる。
【００１４】
前記ガバナー・シート２の前端は、スチール・ボールのスロット２１を設ける。スチール・ボールのスロット２１は、スチール・ボール５をベアラするために使用され、しかし、スチール・ボール５の位置が変わらないことを保証する。
【００１５】
前記ガバナー・シート２の尾端は、スプリングのスロット２２を設ける。スプリングのスロット２２は、スプリング６とワッシャー７をベアラするために使用され、スプリング６とワッシャー７の位置を固定して、ワッシャー７の調整位置の作用を達成できる。
【００１６】
ガバナー・シャフト３の頭部位置には、ニードル・ピンのスロット３１が設けられている。ニードル・ピンのスロット３１は、ニードル・ピン４を配置するためのものであり、ニードル・ピン４の位置を固定することができる。
【００１７】
本考案の作業原理は、伝統的な遠心ガバナーと比較して、スチール・ボール５は、伝統のウェイトを置き換え、これによって、異なる速度と異なる出力のエアモーターにマッチするために、スチール・ボールのサイズと数量を変更するだけである。一般的なエアモーターは、右方向に回転し、したがって、ガバナー・シャフトとモーターローターのねじは、左ねじとして設計されており、緩みを効果的に防止する。スチール・ボールのサイズと数量、及びスプリングの剛性を組み合わせることにより、異なるサイズのエアーモーターにマッチするために、さまざまなシリーズ規格のガバナーを設計し、現在のモーター速度が、４,５００ＲＰＭから３０,０００ ＲＰＭの範囲で、モーター出力が、１５ワットから２０００ワットの範囲のシリーズは、全部異なるガバナーにマッチングされる。同じ工具のモーター速度を合理的に調整することは、ワッシャーを通って行う。ワッシャーの数量と厚さが変更されている限り、モーター速度を調整する目的を達成するために、ガバナーのプリング力を調整できる。ガバナー・フレーム１とガバナー・シート２は、エンジニアリングプラスチック射出成形設計を採用しているため、部品の重量と部品コストを効果的に削減できる。
【００１８】
上述した技術方案を採用した後、本考案は、有益な効果があり、ガバナーウェイトの仕様タイプを減らし、ガバナーの長さを短くし、ガバナーの重量を減らし、部品のコストを削減し、作業効率を向上する。
【００１９】
上述したのは、本考案の好ましい実施形態であって、本考案は、上記実施形態において説明したものに限定されるものではなく、かつ考案の要旨を逸脱しない範囲内において種々の設計変更、補正等価的に置き換えることが可能であることは当然のことである。
【符号の説明】
【００２０】
１ガバナー・フレーム
２ガバナー・シート
３ガバナー・シャフト
４ニードル・ピン
５スチール・ボール
６スプリング
７ワッシャー
２１スチール・ボールのスロット
２２スプリングのスロット
３１ニードル・ピンのスロット
【図１】
0003219032.tif 000003